(57)【要約】【課題】  各移動棚の前面パネルに設けたハンドルの回転力を駆動輪に伝達して移動棚を移動させることが可能な手動式移動棚装置において、不使用時にはハンドルが邪魔にならず、使用時にはハンドルを楽に回転させて移動棚を移動させることができ、また意匠的にも室内の壁面との統一を図ること可能な手動式移動棚装置を提供する。【解決手段】  ハンドル７は、車輪に回転力を伝達する回転力伝達機構８の支軸１０に関連づけて設けられ、不使用時には外側面７Ａが前面パネル６の表面と略面一の格納状態をとり、使用時に前面パネルから手前に突出した使用状態をとる。あるいは、ハンドルは、ハンドル本体と把手とからなり、ハンドル本体の一部に設けた把手が、不使用時にはハンドル本体の表面から突出しない格納状態をとり、使用時にハンドル本体の表面から手前に突出した使用状態をとる。【選択図】        図５
2018069068.tif 000002
【特許請求の範囲】
【請求項１】
前面パネルに設けたハンドルによって回転駆動される車輪を有する複数台の移動棚を、それらの出入面に対して直交する方向に敷設したレールに沿って移動可能に配置し、移動棚の移動でそれらの間に所定幅の通路が形成される手動式移動棚装置であって、前記ハンドルは、前記車輪に回転力を伝達する回転力伝達機構の支軸に関連づけて設けられ、不使用時には外側面が前記前面パネルの表面と略面一の格納状態をとり、使用時に前記前面パネルから手前に突出した使用状態をとることを特徴とする手動式移動棚装置。
【請求項２】
前記ハンドルは、外側面が平面の円盤状であり、不使用時には外側面が前記前面パネルの表面と略面一の格納状態をとり、使用時には円周部を把持できるように前記前面パネルから手前に突出した使用状態をとる請求項１記載の手動式移動棚装置。
【請求項３】
前記移動棚の前フレームに前記支軸を奥行方向に向けて水平に固定し、該支軸に前記回転力伝達機構を構成するスプロケット又はプーリを備えた回転体を定位置回転可能に設け、該回転体には該回転体とともに回転し且つ前記支軸の軸方向にスライド移動可能に軸部材を保持するガイド機構を設け、該軸部材に前記ハンドルを固定し、前記ガイド機構と軸部材との間には、前記ハンドルの格納状態を維持する保持手段を設けてなる請求項１又は２記載の手動式移動棚装置。
【請求項４】
前記回転体に基板を一体的に設け、該基板に対して平行に間隔を置いてリング状の保持板を固定するとともに、前記基板と保持板の間に複数のガイド杆を渡設し、前記軸部材は基部のスライド部と前記ハンドルを固定する先端部の軸部とからなり、前記軸部材の中心筒に前記支軸を受け入れて前記スライド部を摺動可能に案内するとともに、該スライド部の外周部を前記ガイド杆で摺動可能に案内し、前記基板と前記スライド部の間に圧縮コイルバネを介在して前記軸部材を手前に突出する方向に弾性付勢し、前記保持板の中心孔内に設けたボールプランジャを前記軸部材の軸部外周に設けた係合突部に係合して前記ハンドルを格納状態に維持し、前記ボールプランジャを係合突部が越えて弾性付勢力によって前記保持板にスライド部が直接又は間接に当接して前記ハンドルを使用状態に維持してなる請求項３記載の手動式移動棚装置。
【請求項５】
前記ハンドルを格納状態から前記圧縮コイルバネの弾性付勢力に抗して押し込み、その押し込み力を解放した際に前記係合突部がボールプランジャを越えるだけの反動力を前記圧縮コイルバネが備えている請求項４記載の手動式移動棚装置。
【請求項６】
前面パネルに設けたハンドルによって回転駆動される車輪を有する複数台の移動棚を、それらの出入面に対して直交する方向に敷設したレールに沿って移動可能に配置し、移動棚の移動でそれらの間に所定幅の通路が形成される手動式移動棚装置であって、前記ハンドルは、ハンドル本体と把手とからなり、前記車輪に回転力を伝達する回転力伝達機構の支軸に関連づけて設けられ、前記ハンドル本体は定常的に外側面が前記前面パネルの表面と略面一の状態であり、前記ハンドル本体の一部に設けた把手が、不使用時には前記ハンドル本体の表面から突出しない格納状態をとり、使用時に前記ハンドル本体の表面から手前に突出した使用状態をとることを特徴とする手動式移動棚装置。
【請求項７】
前記ハンドル本体は、外側面が平面の円盤状であり、定常的に外側面が前記前面パネルの表面と略面一の状態であり、前記把手は、前記ハンドル本体の外周縁寄りの一部に設けた開口から出没可能に保持されるとともに、少なくとも格納状態を維持する把手保持手段を設けてなる請求項６記載の手動式移動棚装置。
【請求項８】
前記把手は、前記ハンドル本体の背面に設けた把手ガイド機構によって奥行方向へスライド移動可能に支持された可動体に、奥行方向の回転軸にて回転可能に取付けられ、前記ハンドル本体に直接的又は間接的に固定された支持部材と前記可動体との間に格納状態を維持する把手保持手段を設けてなる請求項６又は７記載の手動式移動棚装置。
【請求項９】
前記把手保持手段が、ローラープランジャと係合突起、位置決めピンと係合突起、板バネと係合突起、マグネットと磁性体から選ばれる１種である請求項７又は８記載の手動式移動棚装置。
【発明の詳細な説明】
【技術分野】
【０００１】
本発明は、手動式移動棚装置に係わり、更に詳しくはハンドル操作によって各移動棚の駆動輪を回転させて移動させる方式の手動式移動棚装置に関するものである。
【背景技術】
【０００２】
従来から、前面パネルに設けたハンドルによって回転駆動される車輪を有する複数台の移動棚を、それらの出入面に対して直交する方向に敷設したレールに沿って移動可能に配置し、移動棚の移動でそれらの間に所定幅の通路が形成される手動式移動棚装置は各種提供されている。
【０００３】
特許文献１には、移動棚の下端で各レールに対応した位置に、駆動輪と単又は複数の従動輪を設け、各移動棚の前面パネルに設けたハンドルの回転力を前記駆動輪に伝達する回転力伝達機構を備え、該回転力伝達機構は大小のスプロケット又は歯付きプーリからなる一対の回転体と、両回転体に巻回するチェーン又はタイミングベルトからなる無端索体とからなり、使用者がハンドルを回転させて移動棚を移動させ、所定の移動棚間又は側端部に配置した固定棚と移動棚間に通路を形成し、その通路内に使用者が入って該通路に面した出入面から書籍やファイル等の物品を出し入れすることが可能な手動式移動棚装置が開示されている。ここで、前記ハンドルは、軸部から直角に延びたアームの先端部につまみを設けた構造で、各移動棚の前面パネルから前方へ突出する状態で設けられている。
【０００４】
また、特許文献２，３には、各移動棚の前面パネルに前方へ突出するように円形のハンドルを設け、ハンドルの回転力を駆動輪に伝達して移動可能な状態と移動不能な状態に切り替えることができるクラッチ機構若しくはロック機構をハンドルの軸部に設け、ハンドルを軸方向に変位させることによりその機構の切り替えができる構造が開示されている。しかし、何れの状態においてもハンドルは移動棚の前面パネルよりも手前に突出した状態である。
【０００５】
また、特許文献４には、移動棚の側面（前面パネル）に設けた操作ハンドルが、ホイールと該ホイールに設けたノブとからなり、該ノブは奥行方向にスライド可能に保持されているとともに、引き込み方向にバネで弾性付勢された構造が開示されている。ここで、操作ハンドルの非操作時にはノブは、バネによる付勢力によって突出量が最小の状態にあるが、操作時にノブに指を掛けることによりバネの付勢力に抗して手前へ突出した状態となり、ホイールを回転させることができるのである。この場合、ノブから指を離せば自動的に引き込まれ、ノブの突出量が最小となる。しかし、非操作時においても、ノブの前方頂部はホイールの前面から突出した状態にあるので、少なくともその分だけ移動棚の前面パネルから突出した状態となる。
【先行技術文献】
【特許文献】
【０００６】
【特許文献１】特開２００８−０１８１２３号公報
【特許文献２】実公昭５６−８５１２号公報
【特許文献３】特開昭５８−１７７６０４号公報
【特許文献４】特開２０１７−０４７９７９号公報
【発明の概要】
【発明が解決しようとする課題】
【０００７】
しかしながら、従来の手動式移動棚装置におけるハンドルは、移動棚を使用しないときにも前面パネルから手前に突出しており、その前を通行する際にハンドルに、体の一部が衝突したり、あるいは衣服を引っ掛けたりと邪魔になることがあった。また、移動棚の前面パネルからハンドルが突出していると、外観的にも室内の壁面との間で意匠上の統一を図ることは不可能である。
【０００８】
そこで、本発明が前述の状況に鑑み、解決しようとするところは、各移動棚の前面パネルに設けたハンドルの回転力を駆動輪に伝達して移動棚を移動させることが可能な手動式移動棚装置において、不使用時にはハンドルが邪魔にならず、使用時にはハンドルを楽に回転させて移動棚を移動させることができ、また意匠的にも室内の壁面との統一を図ること可能な手動式移動棚装置を提供する点にある。
【課題を解決するための手段】
【０００９】
本発明は、前述の課題解決のために、以下に構成する手動式移動棚装置を提供する。
【００１０】
（１）
前面パネルに設けたハンドルによって回転駆動される車輪を有する複数台の移動棚を、それらの出入面に対して直交する方向に敷設したレールに沿って移動可能に配置し、移動棚の移動でそれらの間に所定幅の通路が形成される手動式移動棚装置であって、前記ハンドルは、前記車輪に回転力を伝達する回転力伝達機構の支軸に関連づけて設けられ、不使用時には外側面が前記前面パネルの表面と略面一の格納状態をとり、使用時に前記前面パネルから手前に突出した使用状態をとることを特徴とする手動式移動棚装置。
【００１１】
（２）
前記ハンドルは、外側面が平面の円盤状であり、不使用時には外側面が前記前面パネルの表面と略面一の格納状態をとり、使用時には円周部を把持できるように前記前面パネルから手前に突出した使用状態をとる（１）記載の手動式移動棚装置。
【００１２】
（３）
前記移動棚の前フレームに前記支軸を奥行方向に向けて水平に固定し、該支軸に前記回転力伝達機構を構成するスプロケット又はプーリを備えた回転体を定位置回転可能に設け、該回転体には該回転体とともに回転し且つ前記支軸の軸方向にスライド移動可能に軸部材を保持するガイド機構を設け、該軸部材に前記ハンドルを固定し、前記ガイド機構と軸部材との間には、前記ハンドルの格納状態を維持する保持手段を設けてなる（１）又は（２）記載の手動式移動棚装置。
【００１３】
（４）
前記回転体に基板を一体的に設け、該基板に対して平行に間隔を置いてリング状の保持板を固定するとともに、前記基板と保持板の間に複数のガイド杆を渡設し、前記軸部材は基部のスライド部と前記ハンドルを固定する先端部の軸部とからなり、前記軸部材の中心筒に前記支軸を受け入れて前記スライド部を摺動可能に案内するとともに、該スライド部の外周部を前記ガイド杆で摺動可能に案内し、前記基板と前記スライド部の間に圧縮コイルバネを介在して前記軸部材を手前に突出する方向に弾性付勢し、前記保持板の中心孔内に設けたボールプランジャを前記軸部材の軸部外周に設けた係合突部に係合して前記ハンドルを格納状態に維持し、前記ボールプランジャを係合突部が越えて弾性付勢力によって前記保持板にスライド部が直接又は間接に当接して前記ハンドルを使用状態に維持してなる（３）記載の手動式移動棚装置。
【００１４】
（５）
前記ハンドルを格納状態から前記圧縮コイルバネの弾性付勢力に抗して押し込み、その押し込み力を解放した際に前記係合突部がボールプランジャを越えるだけの反動力を前記圧縮コイルバネが備えている（４）記載の手動式移動棚装置。
【００１５】
（６）
前面パネルに設けたハンドルによって回転駆動される車輪を有する複数台の移動棚を、それらの出入面に対して直交する方向に敷設したレールに沿って移動可能に配置し、移動棚の移動でそれらの間に所定幅の通路が形成される手動式移動棚装置であって、前記ハンドルは、ハンドル本体と把手とからなり、前記車輪に回転力を伝達する回転力伝達機構の支軸に関連づけて設けられ、前記ハンドル本体は定常的に外側面が前記前面パネルの表面と略面一の状態であり、前記ハンドル本体の一部に設けた把手が、不使用時には前記ハンドル本体の表面から突出しない格納状態をとり、使用時に前記ハンドル本体の表面から手前に突出した使用状態をとることを特徴とする手動式移動棚装置。
【００１６】
（７）
前記ハンドル本体は、外側面が平面の円盤状であり、定常的に外側面が前記前面パネルの表面と略面一の状態であり、前記把手は、前記ハンドル本体の外周縁寄りの一部に設けた開口から出没可能に保持されるとともに、少なくとも格納状態を維持する把手保持手段を設けてなる（６）記載の手動式移動棚装置。
【００１７】
（８）
前記把手は、前記ハンドル本体の背面に設けた把手ガイド機構によって奥行方向へスライド移動可能に支持された可動体に、奥行方向の回転軸にて回転可能に取付けられ、前記ハンドル本体に直接的又は間接的に固定された支持部材と前記可動体との間に格納状態を維持する把手保持手段を設けてなる（６）又は（７）記載の手動式移動棚装置。
【００１８】
（９）
前記把手保持手段が、ローラープランジャと係合突起、位置決めピンと係合突起、板バネと係合突起、マグネットと磁性体から選ばれる１種である（７）又は（８）記載の手動式移動棚装置。
【発明の効果】
【００１９】
以上にしてなる第１発明の手動式移動棚装置は、前面パネルに設けたハンドルによって回転駆動される車輪を有する複数台の移動棚を、それらの出入面に対して直交する方向に敷設したレールに沿って移動可能に配置し、移動棚の移動でそれらの間に所定幅の通路が形成される手動式移動棚装置であって、前記ハンドルは、前記車輪に回転力を伝達する回転力伝達機構の支軸に関連づけて設けられ、不使用時には外側面が前記前面パネルの表面と略面一の格納状態をとり、使用時に前記前面パネルから手前に突出した使用状態をとるので、不使用時にはハンドルが邪魔にならず、使用時にはハンドルを楽に回転させて移動棚を移動させることができる。また、室内の壁面と同一素材若しくは外観が類似の素材で移動棚の前面パネル、更にハンドルを構成し、室内の壁面から連続して移動棚の前面パネルを配置することで、意匠的にも室内の壁面との統一を図ることができる。
【００２０】
また、第２発明の手動式移動棚装置は、前面パネルに設けたハンドルによって回転駆動される車輪を有する複数台の移動棚を、それらの出入面に対して直交する方向に敷設したレールに沿って移動可能に配置し、移動棚の移動でそれらの間に所定幅の通路が形成される手動式移動棚装置であって、前記ハンドルは、ハンドル本体と把手とからなり、前記車輪に回転力を伝達する回転力伝達機構の支軸に関連づけて設けられ、前記ハンドル本体は定常的に外側面が前記前面パネルの表面と略面一の状態であり、前記ハンドル本体の一部に設けた把手が、不使用時には前記ハンドル本体の表面から突出しない格納状態をとり、使用時に前記ハンドル本体の表面から手前に突出した使用状態をとるので、不使用時にはハンドルの把手が邪魔にならず、使用時には手前に突出した把手を持ってハンドルを楽に回転させて移動棚を移動させることができる。また、室内の壁面と同一素材若しくは外観が類似の素材で移動棚の前面パネル、更にハンドル本体を構成し、室内の壁面から連続して移動棚の前面パネルを配置することで、意匠的にも室内の壁面との統一を図ることができる。
【図面の簡単な説明】
【００２１】
【図１】第１発明に係る手動式移動棚装置の全体斜視図である。
【図２】移動棚の回転力伝達機構を前面パネルとハンドルを省略して示した正面図である。
【図３】ハンドルを格納状態と使用状態にするためのガイド機構を示す分解斜視図である。
【図４】ハンドルの格納状態を維持する保持手段を示す断面図である。
【図５】ハンドルの格納状態を示す部分縦断面図である。
【図６】ハンドルを格納状態から使用状態へ、使用状態から格納状態へ移行させる過渡状態を示す部分縦断面図である。
【図７】ハンドルの使用状態を示す部分縦断面図である。
【図８】第２発明に係る手動式移動棚装置の全体斜視図である。
【図９】第２発明の実施形態を示し、一部省略した要部の正面図である。
【図１０】同じく把手の格納状態を示す部分縦断面図である。
【図１１】同じく把手を格納状態から使用状態へ、使用状態から格納状態へ移行させる過渡状態を示す部分縦断面図である。
【図１２】同じく把手の使用状態を示す部分縦断面図である。
【図１３】第２発明のハンドルの第１変形例を示し、一部省略した要部の正面図である。
【図１４】第２発明のハンドルの第２変形例を示し、一部省略した要部の正面図である。
【図１５】第２発明のハンドルの第３変形例を示し、一部省略した要部の正面図である。
【発明を実施するための形態】
【００２２】
次に、添付図面に示した実施形態に基づき、本発明を更に詳細に説明する。図１は第１発明の手動式移動棚装置を示し、図２〜図７はその詳細を示し、図中符号１は移動棚、２は固定棚、３はレール、４は通路、５は車輪、６は前面パネル、７はハンドル、８は駆動力伝達機構、９はガイド機構をそれぞれ示している。
【００２３】
先ず、第１発明に係る手動式移動棚装置は、図１に示すように、複数のレール３，…に沿って複数の移動棚１が互いに移動可能に配置され、両端部には固定棚２が配置され、隣接する移動棚１，１が相対的に移動することによって、それらの間に所定幅の通路４が形成されるものである。そして、移動棚１の下端で各レール３，…に対応した位置に、複数の車輪５を設け、移動棚１の前面パネル６の中段に設けたハンドル７の回転力を前記車輪５に伝達する回転力伝達機構８を備えている。
【００２４】
前記ハンドル７は、前記車輪５に回転力を伝達する回転力伝達機構８の支軸１０に関連づけて設けられ、不使用時には外側面が前記前面パネル６の表面と略面一の格納状態（図１及び図５参照）をとり、使用時に前記前面パネル６から手前に突出した使用状態（図７参照）をとる。ここで、前記ハンドル７は、外側面７Ａが平面の円盤状であることが、前記前面パネル６及び室内の壁面との意匠上の統一を図る上で好ましい。そして、前記ハンドル７の不使用時には、外側面７Ａが前記前面パネル６の表面と略面一の格納状態をとり、使用時には円周部７Ｂを把持できるように前記前面パネル６から手前に突出した使用状態をとるのである。ここで、本発明における「略面一」とは、面一の他に、製造誤差や部材の組み付け誤差によりハンドル７の外表面７Ａが前面パネル６の表面に対して手前方向と奥方向に多少ずれている場合を含む概念である。
【００２５】
前記移動棚１は、前記車輪５，…を備えたベース１１の上に支柱１２，…を立設してフレームを構成し、前フレームには前記回転力伝達機構８の部品を取付けるための支持板１３を設けるとともに、その前方に空間を設けて前記前面パネル６を取付けて構成する。本実施形態の移動棚１は、横幅が広く左右両面から物品を出し入れすることが可能な両面タイプである。
【００２６】
ここで、前記回転力伝達機構８は、図２に示すように、大小のスプロケット又は歯付きプーリからなる一対の回転体１４，１５と、両回転体１４，１５に巻回するチェーン又はタイミングベルトからなる無端索体１６とからなるとともに、前記無端索体１６の弛みを防止するための弛み防止手段１７を備えてなることを特徴としている。本実施形態では、前記回転体１４，１５にスプロケットを備え、無端索体１６をチェーンとしている。
【００２７】
そして、図２〜図５に示すように、前記移動棚１の前フレームに前記支軸１０を奥行方向に向けて水平に固定し、該支軸１０に前記回転力伝達機構８を構成するスプロケット又はプーリを備えた回転体１４を定位置回転可能に設け、該回転体１４には該回転体１４とともに回転し且つ前記支軸１０の軸方向にスライド移動可能に軸部材１８を保持するガイド機構９を設け、該軸部材１８に前記ハンドル７を固定し、前記ガイド機構９と軸部材１８との間には、前記ハンドル７の格納状態を維持する保持手段１９を設けている。
【００２８】
更に詳しくは、前記回転体１４に基板２０を一体的に設け、該基板２０に対して平行に間隔を置いてリング状の保持板２１を固定するとともに、前記基板２０と保持板２１の間に複数のガイド杆２２，…を渡設している。具体的には、前記基板２０と保持板２１の対向面に中心角が１２０度離れた位置に三対の凹部２３を設け、３本の前記ガイド杆２２の両端を該凹部２３にそれぞれ嵌合した状態で、複数個所、本実施形態では３個所でボルト２４とスペーサ管２５で固定する。それには、前記ボルト２４を前記ガイド杆２２の外側位置で、前記保持板２１に設けた通孔２６に通し、該ボルト２４にスペーサ管２５を外挿した状態でボルト２４の先端を前記基板２０の螺孔２７に螺合し、該基板２０と保持板２１とにスペーサ管２５を突き当て間隔を維持して固定する。
【００２９】
前記軸部材１８は、基部のスライド部２８と前記ハンドル７を固定する先端部の軸部２９とからなり、前記軸部材１８の中心筒３０に前記支軸１０を受け入れて前記スライド部２８を摺動可能に案内するとともに、該スライド部２８の外周部を前記ガイド杆２２，…で摺動可能に案内している。更に、前記基板２０と前記スライド部２８の間に圧縮コイルバネ３１を介在して前記軸部材１８を手前に突出する方向に弾性付勢している。そして、図３〜図５に示すように、前記保持手段１９として、前記保持板２１の中心孔３２内に設けたボールプランジャ３３を前記軸部材１８の軸部２９外周に設けた環状の係合突部３４に係合して前記ハンドル７を格納状態に維持する構成とした。ここで、前記保持手段１９として、前記係合突部３４の代わりに環状の係合溝を設けても良く、その場合には前記ボールプランジャ３３が軸部２９の外周面に常時所定の弾性付勢力で接触した状態となる。また、図７に示すように、前記ボールプランジャ３３を係合突部３４が越えて弾性付勢力によって前記保持板２１にスライド部２８が直接又は緩衝材を介して間接に当接して前記ハンドル７を使用状態に維持する。
【００３０】
ここで、詳細には図示しないが、前記支軸１０と軸部材１８のスライド部２８の間には軸方向に移動案内するリニアボールベアリング３５を介在させ、また前記ガイド杆２２とスライド部２８の間にもリニアボールベアリング３６を介在させて、軸方向へのスムーズな摺動案内を可能としている。ここで、図中符号３７は、前記スライド部２８の孔内に前記リニアボールベアリング３５，３６を挿入して装着した状態を保持する押さえ板である。尚、前記リニアボールベアリング３５，３６は、無給油ブッシュ等の軸方向の摺動部材であっても良い。
【００３１】
前記支軸１０は、固定板３８に一端を溶接して固定し、該固定板３８を前記支持板１３にネジ止めし、該支軸１０を水平に手前側へ突設している。そして、前記回転体１４には、一部にスプロケット３９を設け、ベアリング４０を介在させて前記支軸１０の基部に定位置回転可能に取付けている。本実施形態では、前記回転体１４は、スプロケット３９と基板２０を一体に設けたが、別部材を互いに連結して一体化しても良い。
【００３２】
前記ボールプランジャ３３は、図４に示すように、リング状の保持板２１の外周面から中心孔３２に向けて貫通形成した螺孔４１に螺合して装着し、螺合深さによって前記係合突部３４との係合強さを微調整できるようになっている。通常は、前記ボールプランジャ３３のボールは、前記軸部材１８の軸部２９の外周面に接触しないように設定し、該軸部材１８のスムーズなスライド移動を可能にしている。
【００３３】
前記ハンドル７は、円盤状であり、背面中心に取付軸４２を突設した構造であり、該取付軸４２を前記軸部材１８の軸部２９の先端部で、前記中心筒３０に嵌合し、軸方向と直角方向から嵌挿したピン４３で抜け止め連結している。
【００３４】
ここで、前記前面パネル６は、本実施形態では板金４４の表面にガラス板４５を積層した構造であり、また前記ハンドル７もスチール製の円板４６の中央部に前記取付軸４２を溶接し、表面側に円形のガラス板４７を積層した構造である。前記前面パネル６には、前記ハンドル７を受け入れる円形の開口４８が形成されている。尚、前記ハンドル７の外周縁には直接ガラス板４７の端部に触れないように、軟質樹脂製又はゴム製のエッジ部材４９を添設している。ここで、前面パネル６の表側素材は、木材や金属等であっても良く、壁面の構造に合わせて変えることができる。
【００３５】
図５は、前記前面パネル６に形成した開口４８内に、前記ハンドル７が位置し、前面パネル６の表面とハンドル７の外側面７Ａが面一になった格納状態を示し、この状態で前記圧縮コイルバネ３１，…の弾性付勢力に抗して、前記ボールプランジャ３３，…に前記軸部材１８の係合突部３４が係止している。
【００３６】
図６は、前記ハンドル７を格納状態から前記圧縮コイルバネ３１，…の弾性付勢力に抗して押し込んだ状態を示し、その際に過度に圧縮コイルバネ３１，…を押し縮めないように、前記支軸１０の基部で前記基板２０の側面にリング状のストッパー部材５０を設け、該ストッパー部材５０で軸部材１８のスライド部２８を当止している。そして、図６に示すように前記ハンドル７を押し込んだ後、その押し込み力を解放した際に前記係合突部３４がボールプランジャ３３，…を越えるだけの反動力を前記圧縮コイルバネ３１，…が備えている。
【００３７】
前記係合突部３４がボールプランジャ３３，…を越えると、前記圧縮コイルバネ３１，…弾性付勢力によって、図７に示すように、前記軸部材１８のスライド部２８が前記保持板２１に当接するまで前記ハンドル７が手前に突出し、使用常置となる。この使用状態では、前記ハンドル７の円周部７Ｂを使用者が把持して回転させることが可能となる。
【００３８】
前記ハンドル７を回転すると、前記ガイド機構９を介して回転に対して一体となった回転体１４が回転し、前記スプロケット３９に噛み合ったチェーン１６を介して他方の回転体（スプロケット）１５を回転させ、ハンドル７の回転方向と同一回転方向に車輪５が回転し、もって移動棚１を同方向に移動するのである。つまり、前記ハンドル７を右回りに回転させると移動棚１は右方向に移動し、ハンドル７を左回りに回転させると移動棚１は左方向に移動するのである。
【００３９】
前記移動棚１を移動後、移動操作を止める場合には、図７の使用状態から前記ハンドル７を前記圧縮コイルバネ３１，…の弾性付勢力に抗して、前記係合突部３４がボールプランジャ３３，…を越えるまで押し込んだ後、ゆっくりと押し込み力を解放して前記ハンドル７を前記圧縮コイルバネ３１，…の弾性付勢力によって手前に移動させ、前記係合突部３４をボールプランジャ３３，…に係合させ、図５の格納状態にする。
【００４０】
尚、前記ハンドル７の外側面７Ａが前記前面パネル６の表面と略面一の格納状態にあっても、該外側面７Ａに指を当て、指と外側面７Ａとの摩擦力を利用してハンドル７を回転させ、移動棚１を移動させることも可能である。勿論、前記ハンドル７を手前に突出させて、該ハンドル７の円周部７Ｂを持って回転させる方が楽に操作できる。
【００４１】
次に、図８〜図１５に基づいて第２発明を説明する。第２発明に係る手動式移動棚装置における移動棚１の基本構成は第１発明のそれと同じであり、ハンドル７の構成が異なるのみであるので、同一構成には同一符号を付してその説明は省略する。第２発明に係るハンドル７は、ハンドル本体５１と把手５２とからなり、前記車輪５に回転力を伝達する回転力伝達機構８の支軸１０に関連づけて設けられ、前記ハンドル本体５１は定常的に外側面７Ａが前記前面パネル６の表面と略面一の状態であり、前記ハンドル本体５１の一部に設けた把手５２が、不使用時には前記ハンドル本体５１の表面から突出しない格納状態をとり、使用時に前記ハンドル本体５１の表面から手前に突出した使用状態をとることを特徴とする。図８において、右端の移動棚１の把手５２は手前に突出した使用状態にあり、その他の移動棚１，…の把手５２は格納状態にある。
【００４２】
先ず、ハンドル７を回転体１４に連結する構造を説明する。第２発明では、前記ハンドル７は前記回転体１４に対して固定的であり、一体として回転できれば具体的な構造には限定されないが、一例を図１０に基づいて説明する。前記同様に、回転体１４を回転可能に支持する支軸１０は、固定板３８に一端を溶接して固定し、該固定板３８を前記支持板１３にネジ止めし、該支軸１０を水平に手前側へ突設している。そして、前記回転体１４には、一部にスプロケット３９を設け、ベアリング４０を介在させて前記支軸１０の基部に定位置回転可能に取付けている。前記回転体１４には、前記ハンドル７を連結する基板２０を一体的に設け、該基板２０に前記ハンドル７の取付軸４２を連結するための連結部材５３を取付けている。
【００４３】
前記連結部材５３には、前記基板２０に取付けるための連結板５４と、前記支軸１０に回転可能に外挿する軸受部５５と、前記ハンドル７の取付軸４２を受け入れて連結する軸筒部５６とからなる。そして、前記連結板５４を前記基板２０にネジ５７で連結し、前記軸受部５５の内部に設けたベアリング５８，５８で前記支軸１０に回転可能に保持し、また前記軸筒部５６に前記ハンドル７の取付軸４２を嵌挿した状態で、抜止め用のボルト・ナットからなる連結ピン５９で連結している。前記回転体１４と連結部材５３は、ベアリング４０，５８で前記支軸１０に回転可能に保持され、該支軸１０の先端に設けた止め具６０で抜け止めされ、定位置で回転できるようになっている。
【００４４】
具体的には、前記ハンドル本体５１は、外側面７Ａが平面の円盤状であり、定常的に外側面７Ａが前記前面パネル６の表面と略面一の状態にある。そして、前記把手５２は、前記ハンドル本体５１の外周縁寄りの一部に設けた開口６１から把手ガイド機構６２で案内されて出没可能に保持されるとともに、少なくとも該把手５２の格納状態を維持する把手保持手段６３を設けている。
【００４５】
具体的には、前記把手５２は、前記ハンドル本体５１の背面に設けた把手ガイド機構６２によって奥行方向へスライド移動可能に支持された可動体６４に、奥行方向の回転軸６５にて回転可能に取付けられ、前記ハンドル本体５１に直接的又は間接的に固定された支持部材６６と前記可動体６４との間に格納状態を維持する把手保持手段６３を設けている。前記把手ガイド機構６２は、前記ハンドル本体５１の裏面で、前記開口６１の周りに取付ける取付板６７に、複数本、本実施形態では３本のガイド杆６８，…を平行に突設し、該ガイド杆６８，…の先端を受板６９にまとめて連結している。そして、前記ガイド杆６８，…にスライド可能に前記可動体６４を保持するとともに、該可動体６４と前記受板６９との間に圧縮コイルバネ７０を介装し、該可動体６４を前記前面パネル６の方向へ、つまり手前方向へ弾性付勢している。尚、前記ガイド杆６８に巻装した圧縮コイルバネ７０は、少なくとも一つあれば良く、弾性付勢力の調整において圧縮コイルバネ７０の本数で調整することも、またそれ自体の弾性力で調整することもある。
【００４６】
本実施形態では、前記支持部材６６は、前記受板６９から前記ガイド杆６８に沿って延設されているが、直接前記ハンドル本体５１に固定した部材でも良い。前記把手保持手段６３は、前記支持部材６６に固定したローラープランジャ７１と前記可動体６４の外周部に突設した係合突起７２で構成している。ここで、前記ローラープランジャ７１は、内蔵した弾性部材によって突出方向へ弾性付勢されているものであり、市販品を用いることができる。
【００４７】
図１０は、前記把手５２の格納状態を示している。この格納状態では、前記把手５２の頂部は前記前面パネル６から突出しない位置にあり、好ましくは前記把手５２の頂部は前記前面パネル６と面一か若干奥へ後退した位置に設定し、前記係合突起７２の前部に前記ローラープランジャ７１が当接し、前記圧縮コイルバネ７０の弾性付勢力に抗して把手５２の前方への変位を規制している。
【００４８】
図１１は、前記把手５２をハンドル本体５１より手前側に突出させて使用状態にするために、一度押し込んで前記圧縮コイルバネ７０の弾性力を高めた状態であり、その状態で把手５２から指を素早く離すと、該圧縮コイルバネ７０の弾性力によって前記可動体６４と把手５２が勢いよく手前に移動し、その弾性力と慣性力によって前記ローラープランジャ７１を強制的に退避させて通過し、前記可動体６４の前面側に設けた緩衝体７３が前記取付板６７に衝突して停止し、図１２に示す使用状態になる。この使用状態で前記把手５２を持って前記ハンドル本体５１を回転させ、前記移動棚１を移動させるのである。尚、前記把手５２とその付属部品の重量が重くなり、その重みで予期せずにハンドル７が回転し、移動棚１が移動しないように、前記把手５２とは反対側の前記ハンドル本体５１に回転モーメントを打ち消すカウンターウェイトを設けることも好ましい。
【００４９】
ここで、前記把手５２を使用状態に維持するために、前記ローラープランジャ７１よりも前方位置に第２のローラープランジャ７４を前記支持部材６６に設けて、前記可動体６４の係合突起７２の後部を当止するようにすることも好ましい。つまり、前記把手保持手段６３を一対のローラープランジャ７１，７４と係合突起７２とで構成し、格納状態と使用状態を維持するようにしても良い。この場合、図１１の把手５２を押し込んだ状態から指を離せば、前記係合突起７２が前記ローラープランジャ７１と前記ローラープランジャ７４を自動的に通過することが好ましいが、第２のローラープランジャ７４を通過しなければ、突出してきた前記把手５２を持って引っ張り出し、前記係合突起７２が強制的に通過させても良い。尚、第２のローラープランジャ７４の代わりに、前記可動体６４と前記取付板６７の少なくとも何れか一方にマグネットを固定し、他方の磁性部材を吸着させて使用状態を維持しても良い。
【００５０】
そして、前記ハンドル本体５１の表面から突出した前記把手５２を格納状態にするには、前記把手５２を押し込み、前記ローラープランジャ７１を通過させた後に、ゆっくりと指を離せば該ローラープランジャ７１に係合突起７２が当止して静止する。ここで、前記係合突起７２は、前部が急峻に立ち上がった面で、後部が傾斜した面となっており、断面略直角三角形状となっている。これは、前記把手５２を押し込み時にローラープランジャ７１を通過させ易く、また格納状態で確実にローラープランジャ７１に当止させて静止させるためである。
【００５１】
尚、前記ハンドル本体５１の一部に設けた把手５２が、前記ハンドル本体５１の表面から突出しない格納状態にあっても、該ハンドル本体５１の外側面７Ａに指を当て、指と外側面７Ａとの摩擦力を利用してハンドル７を回転させ、移動棚１を移動させることも可能である。勿論、前記把手５２をハンドル本体５１から手前に突出させて、該把手５２を持って回転させる方が楽に操作できる。
【００５２】
前記把手保持手段６３の変形例を、図１３〜図１５に基づいて簡単に説明する。図１３は、第２発明のハンドルの第１変形例を示し、前記把手保持手段６３が、位置決めピン７５と係合突起７２とで構成されたものである。前記位置決めピン７５は、ボールプランジャと同様な半球状の頭部が内蔵した弾性部材によって突出方向に弾性付勢された構造であり、市販品を用いることができる。また、第２の前記ローラープランジャ７４と同様に、第２の位置決めピン７６を設けることも好ましい。
【００５３】
図１４は、第２発明のハンドルの第２変形例を示し、前記把手保持手段６３が、板バネ７７と係合突起７２とで構成されたものである。また、第２の前記ローラープランジャ７４と同様に、第２の板バネ７８を設けることも好ましい。
【００５４】
図１５は、第２発明のハンドルの第３変形例を示し、前記把手保持手段６３が、マグネット７９と磁性体８０とで構成されたものである。ここで、前記マグネット７９は、前記支持部材６６にホルダー８１を介して固定し、前記磁性体８０は、前記可動体６４の外周面自体で構成し、あるいは位置決めを正確にするために対向マグネットを設けても良い。また、第２の前記ローラープランジャ７４と同様に、第２のマグネット８２を設けることも好ましい。
【００５５】
尚、前記ローラープランジャ、位置決めピン及び板バネは、適宜組み合わせて用いることも可能である。つまり、格納状態と使用状態とで異なる構成の係合手段を組み合わせて前記把手保持手段６３を構成しても良い。また、前記受板６９には、前記把手５２を押し込んだ際に、前記可動体６４を当止するゴム製のストッパー８３を適宜設けている。
【符号の説明】
【００５６】
１  移動棚、                    ２  固定棚、
３  レール、                    ４  通路、
５  車輪、                      ６  前面パネル、
７  ハンドル、                  ７Ａ  外側面、
７Ｂ  円周部、                  ８  回転力伝達機構、
９  ガイド機構、                １０  支軸、
１１  ベース、                  １２  支柱、
１３  支持板、                  １４  回転体、
１５  回転体、                  １６  無端索体
１７  弛み防止手段、            １８  軸部材、
１９  保持手段、                ２０  基板、
２１  保持板、                  ２２  ガイド杆、
２３  凹部、                    ２４  ボルト、
２５  スペーサ管、              ２６  通孔、
２７  螺孔、                    ２８  スライド部、
２９  軸部、                    ３０  中心筒、
３１  圧縮コイルバネ、          ３２  中心孔、
３３  ボールプランジャ、        ３４  係合突部、
３５  リニアボールベアリング、  ３６  リニアボールベアリング、
３７  押さえ板、                ３８  固定板、
３９  スプロケット、            ４０  ベアリング、
４１  螺孔、                    ４２  取付軸、
４３  ピン、                    ４４  板金、
４５  ガラス板、                ４６  円板、
４７  ガラス板、                ４８  開口、
４９  エッジ部材、              ５０  ストッパー部材、
５１  ハンドル本体、            ５２  把手、
５３  連結部材、                ５４  連結板、
５５  軸受部、                  ５６  軸筒部、
５７  ネジ、                    ５８  ベアリング、
５９  連結ピン、                ６０  止め具、
６１  開口、                    ６２  把手ガイド機構、
６３  把手保持手段、            ６４  可動体、
６５  回転軸、                  ６６  支持部材、
６７  取付板、                  ６８  ガイド杆、
６９  受板、                    ７０  圧縮コイルバネ、
７１  ローラープランジャ、      ７２  係合突起、
７３  緩衝体、                  ７４  ローラープランジャ、
７５  位置決めピン、            ７６  位置決めピン、
７７  板バネ、                  ７８  板バネ、
７９  マグネット、              ８０  磁性体、
８１  ホルダー、                ８２  マグネット、
８３  ストッパー。
【図１】
2018069068.tif 000003
【図２】
2018069068.tif 000004
【図３】
2018069068.tif 000005
【図４】
2018069068.tif 000006
【図５】
2018069068.tif 000007
【図６】
2018069068.tif 000008
【図７】
2018069068.tif 000009
【図８】
2018069068.tif 000010
【図９】
2018069068.tif 000011
【図１０】
2018069068.tif 000012
【図１１】
2018069068.tif 000013
【図１２】
2018069068.tif 000014
【図１３】
2018069068.tif 000015
【図１４】
2018069068.tif 000016
【図１５】
2018069068.tif 000017